(57)【要約】【課題】消費電力を抑えつつユーザへのキー入力操作ミスを認識させる。【解決手段】キー操作入力部１０１は、ユーザによる入力操作を受け付け、判定部１０４は、キー操作入力部１０１が受け付けた入力操作が有効であるか否かを判定し、報知部１０７は、判定部１０４によって入力操作が有効でないと判定された場合に、ユーザに操作ミスを報知する処理を行う。【選択図】図１
2010224668.tif 000002
【特許請求の範囲】
【請求項１】
ユーザによる入力操作を受け付ける入力手段と、
前記入力手段が受け付けた入力操作が有効であるか否かを判定する判定手段と、
前記判定手段が有効でないと判定した場合に、ユーザに操作ミスを報知する報知手段と、
を備えることを特徴とする携帯端末。
【請求項２】
前記入力手段は、入力キーの押下による入力操作を受け付け、
前記報知手段は、入力操作が有効となる入力キーのバックライトを点灯させることで操作ミスを報知する、
ことを特徴とする請求項１に記載の携帯端末。
【請求項３】
前記報知手段が前記バックライトを点灯させた場合において、前記入力手段が入力操作を受け付けたとき、前記報知手段は、前記バックライトを消灯することを特徴とする請求項２に記載の携帯端末。
【請求項４】
前記報知手段が前記バックライトを点灯させた場合において、所定の時間が経過したとき、前記報知手段は、前記バックライトを消灯することを特徴とする請求項２または請求項３の何れか１項に記載の携帯端末。
【請求項５】
前記報知手段は、画面表示バックライトの輝度制御、スピーカからのブザー音、またはバイブレータの振動の少なくとも何れか１つによって操作ミスを報知することを特徴とする請求項１に記載の携帯端末。
【請求項６】
携帯端末を用いた操作ミス通知方法であって、
入力手段は、ユーザによる入力操作を受け付け、
判定手段は、前記入力手段が受け付けた入力操作が有効であるか否かを判定し、
報知手段は、前記判定手段が有効でないと判定した場合に、ユーザに操作ミスを報知する、
ことを特徴とする操作ミス通知方法。
【請求項７】
携帯端末を、
ユーザによる入力操作を受け付ける入力手段、
前記入力手段が受け付けた入力操作が有効であるか否かを判定する判定手段、
前記判定手段が有効でないと判定した場合に、ユーザに操作ミスを報知する報知手段、
として動作させるためのプログラム。
【発明の詳細な説明】
【技術分野】
【０００１】
本発明は、携帯端末、操作ミス通知方法及びプログラムに関する。
【背景技術】
【０００２】
近年、携帯端末は、高機能化に伴ってキー入力操作が複雑になっており、ユーザによる操作ミスが生じやすくなっている。そのため、キー入力操作の容易性を向上するために、キー入力操作時に、入力を受け付けるキーのバックライトを点灯させ、入力を受け付けないキーのバックライトを消灯させることで、ユーザに携帯端末の的確な操作を補助する手法が考案されている（例えば、特許文献１を参照）。
【０００３】
また、特許文献２には、ユーザがキー操作を誤った場合に、キー操作を行ったか否かをユーザに通知するために、入力されたキー操作が有効である場合と無効である場合とでスピーカが出力するキータッチトーンの音やバイブレータの振動パターン、キーバックライトの色の何れかを変化させる方法が開示されている。
【０００４】
また、携帯端末は、高機能化に伴って操作時の電流消費量が増加しており、携帯端末の電力延命が課題となっている。特に、ユーザによるキー入力操作時には、画面表示部のバックライト電流やキーバックライト電流だけで数百ミリアンペアの電流を消費するため、携帯端末のユーザ操作時における省電力化が必要とされている。
【先行技術文献】
【特許文献】
【０００５】
【特許文献１】特開２００２−１６３０６３号公報
【特許文献２】特開２００４−１４６９６２号公報
【発明の概要】
【発明が解決しようとする課題】
【０００６】
しかしながら、特許文献１に記載の手法では、ユーザがキーを入力する度にキーバックライトを点灯する必要があるため、キーバックライトの点灯による消費電力を抑えることができない。また、ユーザが携帯端末のキー入力操作を習熟した場合、消費電力が無駄になるだけではなく、操作毎にキーバックライトが点灯するために煩わしさを感じる可能性もある。
また、特許文献２に記載の手法では、ユーザによる操作毎に、報知音や振動、キーバックライトの点灯の何れかを動作させるため、消費電力の無駄が発生していた。
【０００７】
本発明は上記の点に鑑みてなされたものであり、その目的は、消費電力を抑え、ユーザへのキー入力操作ミスを認識させる携帯端末、操作ミス通知方法及びプログラムを提供することにある。
【課題を解決するための手段】
【０００８】
本発明は上記の課題を解決するためになされたものであり、ユーザによる入力操作を受け付ける入力手段と、前記入力手段が受け付けた入力操作が有効であるか否かを判定する判定手段と、前記判定手段が有効でないと判定した場合に、ユーザに操作ミスを報知する報知手段と、を備えることを特徴とする携帯電話である。
【０００９】
また、本発明は、携帯端末を用いた操作ミス通知方法であって、入力手段は、ユーザによる入力操作を受け付け、判定手段は、前記入力手段が受け付けた入力操作が有効であるか否かを判定し、報知手段は、前記判定手段が有効でないと判定した場合に、ユーザに操作ミスを報知する、ことを特徴とする。
【００１０】
また、本発明は、携帯端末を、ユーザによる入力操作を受け付ける入力手段、前記入力手段が受け付けた入力操作が有効であるか否かを判定する判定手段、前記判定手段が有効でないと判定した場合に、ユーザに操作ミスを報知する報知手段、として動作させるためのプログラムである。
【発明の効果】
【００１１】
本発明によれば、判定手段によって入力操作が有効でないと判定された場合にのみ、報知手段がユーザに操作ミスを報知するので、操作毎に報知音や振動、キーバックライトの点灯操作を行う従来の技術と比較して消費電力を抑えつつ、ユーザへのキー入力操作ミスを認識させることができる。
【図面の簡単な説明】
【００１２】
【図１】携帯端末の構成を示す概略ブロック図である。
【図２】メモリが記憶する有効キー情報を示す図である。
【図３】携帯端末の動作を示す第１のフローチャートである。
【図４】携帯端末の動作を示す第２のフローチャートである。
【発明を実施するための形態】
【実施例１】
【００１３】
以下、図面を参照しながら本発明の第１の実施形態について詳しく説明する。
図１は、携帯端末の構成を示す概略ブロック図である。
携帯端末１は、キー操作入力部１０１（入力手段）、タイマ部１０２、クロック回路１０３、判定部１０４（判定手段）、メモリ１０５、処理部１０６、報知部１０７（報知手段）、キーバックライト１０８（バックライト）、バイブレータ１０９、スピーカ１１０、画面表示バックライト１１１を備える。
【００１４】
キー操作入力部１０１は、ユーザから入力キーの押下による入力を受け付ける。なお、入力キーは、例えばテンキー、十字キー、決定キー、電源キー、発信キー、クリアキー及びその他のキーによって構成されている。
タイマ部１０２は、クロック回路１０３のクロック信号に基づいて所定の時間を計時する。
クロック回路１０３は、クロック信号を出力する。
判定部１０４は、押下された入力キーによる入力が有効であるか否かを判定する。
メモリ１０５は、携帯端末１が実行するプログラムの状態を示す状態情報と、状態に対応する有効な入力キーを示す有効キー情報とを記憶する。
処理部１０６は、入力に従って処理の実行、及びメモリ１０５が記憶する状態情報の書き換えを行う。
報知部１０７は、操作ミスをユーザに報知する。
キーバックライト１０８は、入力キーを点灯させる。
バイブレータ１０９は、携帯端末１を振動させる。
スピーカ１１０は、音声を出力する。
画面表示バックライト１１１は、携帯端末１の画面（図示せず）を点灯させる。
【００１５】
図２は、メモリが記憶する有効キー情報を示す図である。
メモリ１０５が記憶する有効キー情報は、プログラムの状態を示す状態情報に関連付けて、その状態において入力操作を受け付ける入力キーの一覧を示す有効キーリストを記憶する。
例えば、待ち受け状態において携帯端末１は、待ち受け状態に対応する有効キーリストに含まれる、テンキー、決定キー、発信キーの何れかの押下による入力を受け付けるが、十字キーやクリアキー等の有効キーリストに含まれない入力キーの押下による入力は受け付けない。
【００１６】
そして、携帯端末１において、キー操作入力部１０１は、ユーザによる入力操作を受け付け、判定部１０４は、キー操作入力部１０１が受け付けた入力操作が有効であるか否かを判定し、報知部１０７は、判定部１０４によって入力操作が有効でないと判定された場合に、ユーザに操作ミスを報知する処理を行う。
【００１７】
次に、携帯端末１の動作を説明する。
図３は、携帯端末の動作を示す第１のフローチャートである。
まず、携帯端末１は、電源を投入されると、画面に待ち受け画面を表示し、キー入力操作部１０１は、ユーザによる入力操作、つまり入力キーの押下を待機する（ステップＳ１０１）。キー入力操作部１０１への入力がない場合（ステップＳ１０１：Ｎｏ）、ステップＳ１０１の処理を繰り返し、キー入力操作部１０１は入力操作の待機を継続する。
【００１８】
キー入力操作部１０１がユーザによる入力操作を受け付けた場合（ステップＳ１０１：Ｙｅｓ）、タイマ部１０２は、内部メモリに記憶する計時情報を初期化する（ステップＳ１０２）。タイマ部１０２が計時情報を初期化すると、判定部１０４は、押下された入力キーが電源キーであるか否かを判定する（ステップＳ１０３）。
【００１９】
判定部１０４が、押下された入力キーが電源キーであると判定した場合（ステップＳ１０３：Ｙｅｓ）、キー操作入力部１０１は、電源キーの押下時間を計時し、押下時間が１秒以内であるか否かを判定する（ステップＳ１０４）。押下時間の計時は、例えばクロック回路１０３が出力するクロック信号を利用すると良い。
【００２０】
キー操作入力部１０１が、電源キーの押下時間が１秒以内であると判定した場合（ステップＳ１０４：Ｙｅｓ）、処理部１０６は、それまでの携帯端末１の操作入力による動作をキャンセルし、メモリ１０５が記憶する状態情報を待ち受け状態に書き換え、画面を待ち受け画面に戻す（ステップＳ１０５）。処理部１０６が画面を待ち受け画面に戻すと、ステップＳ１０１に戻り、入力操作の待機を行う。
他方、キー操作入力部１０１が、電源キーの押下時間が１秒超であると判定した場合（ステップＳ１０４：Ｎｏ）、携帯端末の電源を切り、処理を終了する。
【００２１】
ステップＳ１０３で判定部１０４が、押下された入力キーが電源キー以外の入力キーであると判定した場合（ステップＳ１０３：Ｎｏ）、判定部１０４は、押下された入力キーによる入力が有効であるか否かを判定する（ステップＳ１０６）。
入力が有効であるか否かの判定は、以下の手順で行われる。まず、判定部１０４は、メモリ１０５から有効キー情報（図２）と状態情報とを読み出す。次に、判定部１０４は、有効キー情報から状態情報に対応する有効キーリストを取得する。そして、判定部１０４は、押下された入力キーが取得した有効キーリストに含まれるか否かを判定することで、入力が有効であるか否かを判定する。すなわち、押下された入力キーが取得した有効キーリストに含まれる場合に入力が有効であると判定し、押下された入力キーが取得した有効キーリストに含まれない場合に入力が有効でないと判定する。
【００２２】
ステップＳ１０６で、判定部１０４が押下された入力キーによる入力が有効であると判定した場合（ステップＳ１０６：Ｙｅｓ）、処理部１０６は、押下された入力キーに従った処理を実行する（ステップＳ１０７）。例えば、待ち受け状態で決定キーが押下された場合は、メモリ１０５が記憶する状態情報をメニュー状態に書き換え、画面をメニュー画面に遷移させる。また、例えば、待ち受け状態でテンキーまたは発信キーが押下された場合は、メモリ１０５が記憶する状態情報を電話番号入力状態に書き換え、画面を電話番号入力画面に遷移させる。
処理部１０６が入力キーに従った処理を実行すると、ステップＳ１０１に戻り、次の入力操作の待機を行う。
【００２３】
ステップＳ１０６で、判定部１０４が押下された入力キーによる入力が有効でないと判定した場合（ステップＳ１０６：Ｎｏ）、タイマ部１０２は、クロック回路１０３が出力するクロック信号を利用して所定の時間までの計時を開始する（ステップＳ１０８）。タイマ部１０２が計時を開始すると、報知部１０７は、判定部１０４が取得した有効キーリストに含まれる入力キーに対応するキーバックライト１０８を点灯させる（ステップＳ１０９）。
【００２４】
報知部１０７がキーバックライト１０８を点灯させると、タイマ部１０２は、ステップＳ１０８による計時開始から所定の時間が経過したか否かを判定する（ステップＳ１１０）。タイマ部１０２が、所定の時間が経過していないと判定した場合（ステップＳ１１０：Ｎｏ）、キー入力操作部１０１は、入力キーによる入力操作の有無を判定する（ステップＳ１１１）。
【００２５】
キー入力操作部１０１が、入力操作が無いと判定した場合、ステップＳ１１０に戻り、所定の時間の経過の判定を継続する。
他方、キー入力操作部１０１が、入力操作を新たに受け付けたと判定した場合、報知部１０７は、キーバックライト１０８を消灯する（ステップＳ１１２）。報知部１０７がキーバックライト１０８を消灯すると、ステップＳ１０２に戻り、タイマ部１０２が計時する時間を初期化する。
【００２６】
ステップＳ１１０で、タイマ部１０２が、所定の時間が経過したと判定した場合（ステップＳ１１０：Ｙｅｓ）、報知部１０７は、キーバックライト１０８を消灯する（ステップＳ１１３）。報知部１０７がキーバックライト１０８を消灯すると、ステップＳ１０１に戻り、入力操作の待機を行う。
【００２７】
このように、本実施形態によれば、携帯端末１のキー入力操作時に、次に入力されるべきキー入力操作が行われなかった場合、次に入力されるべき入力キーのキーバックライト１０８が点灯する。これにより、ユーザにキー入力操作ミスを認識させることができ、さらに、次にどのキー入力を行えばよいのかがわかるため、操作性の向上及びユーザの操作習熟を図ることができる。
また、ユーザによるキー入力操作にミスが無い場合、すなわち押下された入力キーが有効キーである場合には、キーバックライト１０８を点灯させる等の特別な処理を行わないため、携帯端末１の消費電力を抑え、使用時間を延ばすことができる。
【００２８】
また、キーバックライト１０８を点灯させた場合において、キー操作入力部１０１が入力操作を受け付け、または所定の時間が経過したとき、キーバックライト１０８を消灯する。これにより、キーバックライト１０８の点灯時間を短くすることができ、携帯端末１の消費電力をさらに抑え、使用時間を延ばすことができる。
【実施例２】
【００２９】
以下、図面を参照しながら本発明の第２の実施形態について詳しく説明する。
第２の実施形態による携帯端末１は、第１の実施形態による携帯端末１と同じ構成であり、報知部１０７の動作が異なる。
携帯端末１の動作を説明する。
図４は、携帯端末の動作を示す第２のフローチャートである。
まず、携帯端末１は、電源を投入されると、画面に待ち受け画面を表示し、キー入力操作部１０１は、ユーザによる入力操作、つまり入力キーの押下を待機する（ステップＳ２０１）。キー入力操作部１０１への入力がない場合（ステップＳ２０１：Ｎｏ）、ステップＳ２０１の処理を繰り返し、キー入力操作部１０１は入力操作の待機を継続する。
【００３０】
キー入力操作部１０１がユーザによる入力操作を受け付けた場合（ステップＳ２０１：Ｙｅｓ）、判定部１０４は、押下された入力キーが電源キーであるか否かを判定する（ステップＳ２０２）。
判定部１０４が、押下された入力キーが電源キーであると判定した場合（ステップＳ２０２：Ｙｅｓ）、キー操作入力部１０１は、電源キーの押下時間を計時し、押下時間が１秒以内であるか否かを判定する（ステップＳ２０３）。
【００３１】
キー操作入力部１０１が、電源キーの押下時間が１秒以内であると判定した場合（ステップＳ２０３：Ｙｅｓ）、処理部１０６は、それまでの携帯端末１の操作入力による動作をキャンセルし、メモリ１０５が記憶する状態情報を待ち受け状態に書き換え、画面を待ち受け画面に戻す（ステップＳ２０４）。処理部１０６が画面を待ち受け画面に戻すと、ステップＳ２０１に戻り、入力操作の待機を行う。
他方、キー操作入力部１０１が、電源キーの押下時間が１秒超であると判定した場合（ステップＳ２０３：Ｎｏ）、携帯端末の電源を切り、処理を終了する。
【００３２】
ステップＳ２０２で判定部１０４が、押下された入力キーが電源キー以外の入力キーであると判定した場合（ステップＳ２０２：Ｎｏ）、判定部１０４は、押下された入力キーによる入力が有効であるか否かを判定する（ステップＳ２０５）。
【００３３】
ステップＳ２０５で、判定部１０４が、押下された入力キーによる入力が有効であると判定した場合（ステップＳ２０５：Ｙｅｓ）、処理部１０６は、押下された入力キーに従った処理を実行する（ステップＳ２０６）。処理部１０６が入力キーに従った処理を実行すると、ステップＳ２０１に戻り、次の入力操作の待機を行う。
【００３４】
ステップＳ２０５で、判定部１０４が押下された入力キーによる入力が有効でないと判定した場合（ステップＳ２０５：Ｎｏ）、報知部１０７は、入力ミスをユーザに報知する（ステップＳ２０７）。
ここで、入力ミスの報知は、例えば、バイブレータ１０９による振動、スピーカ１１０による鳴音、画面表示バックライト１１１による点滅等の輝度制御処理等によって行われる。
これらの報知は、例えばマナーモードであればバイブレータ１０９によって報知させる等、携帯端末の設定に合わせてユーザがカスタマイズしても良い。
【００３５】
このように、本実施形態によれば、携帯端末１のキー入力操作時に、次に入力されるべきキー入力操作が行われなかった場合にのみ、報知部１０７がユーザに入力操作ミスを報知する。これにより、ユーザにキー入力操作ミスを認識させることができ、さらに、次にどのキー入力を行えばよいのかがわかるため、操作性の向上及びユーザの操作習熟を図ることができる。
また、ユーザによるキー入力操作にミスが無い場合には、キーバックライト１０８を点灯させる等の特別な処理を行わないため、携帯端末１の消費電力を抑え、使用時間を延ばすことができる。
さらに、キー入力操作にミスがあった場合にのみ報知部１０７が報知処理を行うため、ユーザは、キー入力操作ミス報知を受けずに操作できるかどうかを楽しみながら、ゲーム感覚で携帯端末１の操作方法を習得することができる。
【００３６】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００３７】
上述の携帯端末１は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３８】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３９】
１…携帯端末  １０１…キー操作入力部  １０２…タイマ部  １０３…クロック回路  １０４…判定部  １０５…メモリ  １０６…処理部  １０７…報知部  １０８…キーバックライト  １０９…バイブレータ  １１０…スピーカ  １１１…画面表示バックライト
【図１】
2010224668.tif 000003
【図２】
2010224668.tif 000004
【図３】
2010224668.tif 000005
【図４】
2010224668.tif 000006